Podtech/llm-jp-corpus-v4-ja_patent huggingface dataset:
(57)【要約】      （修正有）【課題】牛乳などの飲料を収納した紙パックが簡単に開口できる簡易な開口器を提供する。【解決手段】先端上部に紙パックの合わせ部を挟み込む隙間１ａを有した紙パック押さえ部材１と先端下部２ａが紙パックの接着部を引っかけるための形状である紙パック開口部材２と、操作するための持ち手部３とで紙パック開口器を構成する。紙パック押さえ部材１の隙間１ａに紙パックの上部の接着部を挟み込み、持ち手部３を上部に引き上げるだけの簡単な動作で、てこの原理により、上部先端を軸とし開口部材２の根元側より紙パックの接着部を切り開くように紙パックを開口する。このようにして、簡単な動きと最小の力により、紙パックを簡単に開口できる。【選択図】図１
0003174702.tif 000002
【実用新案登録請求の範囲】
【請求項１】
中央部分に紙パックの上部の接着部を挟み込む隙間（１a）を有した紙パック押さえ部材（１）と
紙パック開口部材の先端（２a）が紙パックの接着部を切り開くための鋭利な形状であり、下部が円弧状になっている紙パック開口部材（２）と
操作するための持ち手部（３）とで構成されたことを特徴とする紙パック開口器。
【考案の詳細な説明】
【技術分野】
【０００１】
本発明は牛乳パックまたはジュースなどの飲料水を収納した木工材による紙パック用開口道具に関するものである。
【背景技術】
【０００２】
従来、紙パックを開口する場合、上部の合わせ部の片側を押し広げて折り曲げ、折り曲げられた合わせ部の先端を押しながら戻すと、合わせ部の中央部の接着部がはがれて小さく開口し、更に押し戻すとひし形に開口される。
また、開口器として、先行技術文献で紹介されているように、ローラを用いた開口器やスプリングを用いた開口器がある。
【先行技術文献】
【特許文献】
【０００３】
【特許文献１】特開2001-301891
【特許文献２】特開2000-309315
【考案の概要】
【考案が解決しようとする課題】
【０００４】
しかしながら、上部の合わせ部の片側を押し広げて折り曲げる場合には指にかなり大きな力をかけなければならず、力の弱い女性やお年寄りには大変面倒な作業となっていた。また、力をあまりかけないで開口できるというローラを用いた開口器やスプリングを用いた開口器においては紙パックを固定するガイドが必要であり、開口器自体が大きなものになってしまっていた。
【０００５】
本発明は紙パックなどが簡単に開口できる簡易な開口器を提供することを目的とする。
【課題を解決するための手段】
【０００６】
以上の問題点を解決するために本発明は成されたものであり、先端上部に紙パックの合わせ部を挟み込む隙間（１a）を有した紙パック押さえ部材（１）と先端下部（２a）が紙パックの接着部を引っかけるための形状である紙パック開口部材（２）と、操作するための持ち手部（３）とで構成された紙パック開口器であり、紙パック押さえ部材（１）の隙間（１a）に紙パックの上部の接着部を挟み込み、持ち手部（３）を上部に引き上げるだけの簡単な動作で、てこの原理により、上部先端を軸とし開口部材（２）の根元側より紙パックの接着部を切り開くように紙パックを開口する。このようにして、簡単な動きと最小の力により、紙パックを簡単に開口できる。
また、前記紙パック押さえ部材の隙間（１a）は紙パックの上部の接着部を挟み込むのに適した隙間であり、また、該隙間の長さは該紙パックの上部の接着部の高さ（１０）より長いことを特徴としている。
【考案の効果】
【０００７】
本発明により、開口するのに大変面倒な作業がいらないで、また、大げさな器具を用いないで、握力の弱い女性やお年寄りでも簡単に紙パックを開口することができるという効果を有する。また、簡単な構成であるので、台所の片隅に置いておいても場所をとらず、使用する場合に非常に便利であるという効果を有する。
【図面の簡単な説明】
【０００８】
【図１】紙パック用開口器を斜め横から見た図
【図２】紙パック用開口器を牛乳パックに装着した時の写真
【図３】紙パック用開口器で牛乳パックを開口した時の写真
【考案を実施するための最良の形態】
【０００９】
図１に実施例を示す。紙パック押さえ部材（１）は木製を用いており、紙パック押さえ部材の隙間（１a）は紙パックの上部の接着部を挟み込むのに適した隙間にしている。また、押さえ部材（１）の上部はテーパー状に湾曲させて操作しやすいような形状としている。下部先端の形状はもっともこの開口道具の特徴を表している。（名称に明記されているアケクレスはヘラクレスオオカブトの角に似ている為である。）以後の部材の先端（２ａ）を角と呼ぶ。角が紙パック押さえ部材（１）の先端部を軸にてこの原理で持ち手部材（３）を持ち上げることにより、紙パックの接着部を切り開き開口する。
紙パック押さえ部材（１）と紙パック開口部材（２）は固定用ネジ（４）で固定され、持ち手（３）により操作される。
持ち手（３）を持ち、紙パック押さえ部材（１）の隙間（１a）に紙パックの上部の合わせ部を挟み込み、持ち手（３）を軽く上方に持ち上げていくと、紙パック開口部材（２）の角の根元より先端側へ常々に紙パックを切り開き、簡単に開口される。持ち手の後方部にはＬ字形の金具がついており、切り開かれた接着部分を通常は指を使って引き出すが、うまく隙間ができない時の為の補助道具として使用する道具となっている。
【００１０】
本発明の紙パック用開口器は、台所の片隅においておける程度の簡易な構成になっているため、家庭の主婦やお年寄りでも手軽に使用することができ、また小さな力で紙パックを開口できるので、非常に効果的である。
【符号の説明】
【００１１】
１  紙パック押さえ部材
１a  紙パック押さえ部材の隙間
２  紙パック開口部材
２a  パック開口部材の鋭利な先端
３  持ち手
４  固定用ネジ
５  Ｌ字形の金具
１０  紙パックの上部の合わせ部の高さ
【図１】
0003174702.tif 000003
【図２】
0003174702.tif 000004
【図３】
0003174702.tif 000005
【手続補正書】
【提出日】平成24年1月30日(2012.1.30)
【手続補正１】
【補正対象書類名】実用新案登録請求の範囲
【補正対象項目名】全文
【補正方法】変更
【補正の内容】
【実用新案登録請求の範囲】
【請求項１】
先端側の中央部分に紙パックの上部の接着部を挟み込む隙間（１ａ）を有した紙パック押さえ部材（１）と、
先端部（２ａ）の上部が紙パックの前記接着部を切り開くための鋭利な形状であり、前記先端部（２ａ）の下部が円弧状になっており、前記隙間（１ａ）に前記接着部を挟み込んだときに前記先端部（２ａ）が前記接着部の直下に位置するように、前記紙パック押さえ部材（１）に固定された紙パック開口部材（２）と、
前記紙パック押さえ部材（１）の基端側に設けられ、前記紙パック開口部材（２）を持ち上げ操作するための持ち手部（３）とで構成されたことを特徴とする紙パック開口器。
(57)【要約】      （修正有）【課題】室内にて室内にいる人に動けなくなる等の以上が発生した場合、屋外の人に異常を知らせるための緊急警報装置を提供する。【解決手段】腕時計に備えられたスイッチ手段とそのスイッチ手段に接続された無線送信手段と、当該無線送信手段から送信された無線信号を受信する受信手段と、その受信手段が受信した前記無線信号を判別する信号判別手段と、その信号判別手段の出力に基づいて信号情報を表示する警報表示手段とを備えたものである。【選択図】図１
0003174725.tif 000002
【実用新案登録請求の範囲】
【請求項１】
腕時計に備えられたスイッチ手段と前記スイッチ手段に接続された無線送信手段と、前記無線送信手段から送信された無線信号を受信する受信手段と、前記受信手段が受信した前記無線信号を判別する信号判別手段と、前記信号判別手段の出力に基づいて信号情報を表示する警報表示手段とを備えたことを特徴とする緊急警報装置。
【考案の詳細な説明】
【技術分野】
【０００１】
本考案は室内にて室内にいる人に動けなくなる等の異常が発生した場合、屋外の人に異常を知らせるための緊急警報装置に関する。
【背景技術】
【０００２】
従来から室内にいる人の異常事態を知らせるための緊急警報装置については各種の提案がなされている。（例えば、特許文献1参照）。
【０００３】
以下、従来の緊急警報装置について図２を用いて説明する。
図２において、部屋に出入りする人等を検出する第１のセンサ１１ａと、室内の人の運動を検出する第２のセンサ１１ｂと、判別手段１２とを組み合わせる。判別手段１２は、第１のセンサ１１ａからの出力信号に基づいて作動を開始し、第２のセンサ１１ｂからの出力信号の発生後の経過時間が設定時間を超えると、異常信号を警報器１３に出力することができる。
【先行技術文献】
【特許文献】
【０００４】
【特許文献１】特開平１１−３２８５６１号公報
【考案の概要】
【考案が解決しようとする課題】
【０００５】
しかしながら、従来の警報装置では運動の量を検出し、ある設定以下であれば警報するようになっているが、人が寝てしまったのかそれとも異常な状態で運動できないのかを判別することはできない、また室内で突然歩けなくなったり、倒れたりした緊急を要する場合に助けを求める手段がないという課題を有していた。
【課題を解決するための手段】
【０００６】
上記記載の課題を解決するために本考案は、腕時計に備えられたスイッチ手段とそのスイッチ手段に接続された無線送信手段と、当該無線送信手段から送信された無線信号を受信する受信手段と、その受信手段が受信した前記無線信号を判別する信号判別手段と、その信号判別手段の出力に基づいて信号情報を表示する警報表示手段とを備えたものである。
【考案の効果】
【０００７】
以上のように、本考案の緊急警報装置によれば、室内で動けなくなる等の屋外に助けを求めることができないという異常が発生した場合に、屋外に設置した警報表示手段によって室内の異常を屋外の人に知らせることができるため、異常時に少しでも早く助けを呼ぶことができ適切な治療を受けることができるという効果が得られるものである。
【図面の簡単な説明】
【０００８】
【図１】本考案の緊急警報装置の概略を表すブロック系統図
【図２】従来の緊急警報装置を表すブロック系統図
【考案を実施するための形態】
【０００９】
以下、図面を参照して本考案の実施の形態に係る警報装置について説明する。
図１は本考案の実施の形態に係る警報装置の概略を表すブロック系統図を表す図であり、１は腕時計、２は腕時計に設置されたスイッチ手段、３は同じく腕時計に設置された無線送信手段、４は無線送信手段３から送信された信号を受信するための受信手段、５は受信手段４から送られた信号が異常を知らせる信号であるかどうかを判別する信号判別手段、６は無線送信手段から送られた無線信号７が異常を知らせる信号であった場合に警報を表示する警報表示手段、７は無線送信手段から送信される無線信号であって、４の無線送信手段、５の信号判別手段、６の警報表示手段は一体に構成されて屋外に設置されている。
【００１０】
以上のように構成された警報装置において、以下その動作について図１を用いて説明する。
室内において動けない等の異常が発生した場合、腕時計１につけられたスイッチ手段２のスイッチを押すことによって無線送信手段３から無線信号７が発信される。
【００１１】
次に、発信された無線信号７は屋外に設置された受信手段４で受信された後、信号判別手段５に送られて室内の異常を知らせる信号であるということが判別され、それによって同じく室外に設置された警報表示手段６に送られて警報表示手段６を作動させることとなる。
これによって、室内の異常を警報表示手段の動作によって室外の人に知らしめることができるものである。
【００１２】
なお腕時計１は、ネックレスやベルト等に置き換えて使用することも可能であり、また警報表示手段は赤色灯の点滅、フラッシュの点滅、あるいは警報音による警報であってもよい。
【符号の説明】
【００１３】
１    腕時計
２    スイッチ手段
３    無線送信手段
４    無線受信手段
５    信号判別手段
６    警報表示手段
７    無線信号
１１ａ    第１のセンサ
１１ｂ    第２のセンサ
１２      判別手段
１２ａ    設定器
１２ｂ    設定器
１３      警報器
【図１】
0003174725.tif 000003
【図２】
0003174725.tif 000004
(57)【要約】      （修正有）【課題】保護機能を備えた省エネ電球の照明器具を提供する。【解決手段】本照明器具１は、台座１０と、少なくとも一つの発光部材２０と、保護蓋３０とからなる。台座内には電源駆動モジュール４０が設けられ、少なくとも一つの発光部材は、台座頂端に連結されるとともに、電源駆動モジュールに電気的に接続される。前記保護蓋は、極めて優れた透光性を備えるとともに、台座頂部に取り外し可能に接合され、それにより、発光部材が被覆される。【選択図】図１
0003174931.tif 000002
【実用新案登録請求の範囲】
【請求項１】
台座と、少なくとも一つの発光部材と、保護蓋とからなる、照明器具であって、
前記台座内には、電源駆動モジュールが設けられ、発光部材は、台座頂端に連結されるとともに電源駆動モジュールと電気的に接続され、保護蓋は、台座頂部に接合され、それにより、発光部材が被覆されることを特徴とする、照明器具。
【請求項２】
前記保護蓋は、台座頂部に取り外し可能に接合され、それにより発光部材は被覆され、前記照明器具を電球台座に取り付けて使用した際、保護蓋を取り外すことで、発光部材は最大の照明輝度を発揮することを特徴とする、請求項１に記載の照明器具。
【考案の詳細な説明】
【技術分野】
【０００１】
本考案は照明器具の構造の改良に関し、特に電球型照明器具の改良に関する。
【背景技術】
【０００２】
従来の照明に使用されていた電球は、白熱電球である。しかしながら、白熱電球は、熱くなり、電気の消耗が高く、使用寿命が短いという欠点がある。従って、近年は、省エネ電球にとって代わられている。また、いわゆる省エネ電球は、小型の蛍光灯を安定器と一緒に電球台座に取り付けて使用する。使用される蛍光灯の種類は多く、通常は、管径の細い直管状、Ｕ型管、螺旋型、或いは、管径の細い冷陰極蛍光管、或いは、ＬＥＤ発光ダイオード光源が使用される。しかしながら、これらの各種蛍光灯は、共通の欠点がある。それは、蛍光灯自体がガラスで作られているため、運ぶときや保管するときにぶつけて破損しやすく、理想的とはいえないため、改善する必要がある。
【考案の概要】
【考案が解決しようとする課題】
【０００３】
そこで、本考案は、保護機能を備えた省エネ電球の照明器具を提供することを目的とする。
【課題を解決するための手段】
【０００４】
本考案による照明器具は、台座と、少なくとも一つの発光部材と、保護蓋とからなる。台座内には電源駆動モジュールが設けられ、少なくとも一つの発光部材は、台座頂端に連結されるとともに、電源駆動モジュールに電気的に接続される。前記保護蓋は、極めて優れた透光性を備えるとともに、台座頂部に取り外し可能に接合され、それにより、発光部材が被覆される。
【０００５】
前記発光部材は、管径の細い直管状蛍光灯、Ｕ型蛍光灯、螺旋型蛍光灯、或いは、管径の細い冷陰極蛍光管、或いは、ＬＥＤ発光ダイオード光源である。
【考案の効果】
【０００６】
本考案の構造により達成できる効果は、脆い発光部材を保護蓋で保護し、保管する際に重ねておいたり、運ぶ過程或いは取り付けたり取り外したりする過程で破損するのを防ぐことができる点である。また、取り付けて使用する時は、使用者のニーズに応じて、保護蓋を取り外すことにより、発光部材が最大の照明輝度を発揮できるようになる。そして、発光部材が効果を失って取り外して回収する時、保護蓋を再び取り付けて保護することにより、後続の処理を行う人が怪我をしないようにすることができる。
【図面の簡単な説明】
【０００７】
【図１】本考案の分解図である。
【図２】本考案を組み立てた後の外観図である。
【図３】本考案を取り付けて使用した状態を示した説明図である。
【図４】本考案の実施例を示した説明図である。
【図５】本考案の実施例を示した説明図である。
【図６】本考案の実施例を示した説明図である。
【図７】本考案の実施例を示した説明図である。
【考案を実施するための形態】
【０００８】
図１と図２を参照する。図１と図２は、本考案の好ましい実施例の構造を示した分解図と、組み立てた後の外観図である。本考案の照明器具１は、主に、台座１０と、発光部材２０と、保護蓋３０とからなる。台座１０内には、電源駆動モジュール４０が設けられ、少なくとも一つの発光部材２０は台座１０の頂端に連結されるとともに、電源駆動モジュール４０に電気的に接続され、保護蓋３０は、台座１０の頂部に取り外し可能に接合され、それにより、発光部材２０は被覆される。
【０００９】
図４から図７に示すように、発光部材２０は、管径の細い直管状、Ｕ型管、螺旋型、或いは、管径の細い冷陰極蛍光管、或いは、ＬＥＤ発光ダイオード光源である。
【００１０】
図２と図３に示すように、本考案の実施例の照明器具１は、保護蓋３０で台座１０頂部の蓋をすることにより、発光部材２０が被覆され、保管する際に重ねておいたり、運ぶ過程或いは取り付けたり取り外したりする過程で脆い燈管２０を保護することができる。また、電球台座２に取り付けて照明を作動させる時は、保護蓋３０を取り外すことで、発光部材２０に対する光の障害をとりのぞき、発光部材が最大の照明輝度を発揮できるようにする。そして、発光部材が効果を失って取り外して回収する時、保護蓋を再び取り付けて保護することにより、後続の処理を行う人が怪我をしないようにすることができる。
【符号の説明】
【００１１】
１      照明器具  
２      電球台座  
１０    台座    
２０    発光部材    
３０    保護蓋    
４０    電源駆動モジュール
【図１】
0003174931.tif 000003
【図２】
0003174931.tif 000004
【図３】
0003174931.tif 000005
【図４】
0003174931.tif 000006
【図５】
0003174931.tif 000007
【図６】
0003174931.tif 000008
【図７】
0003174931.tif 000009
(57)【要約】【課題】大型化して発電効率を良くしても運転時に邪魔にならず、走行時のバランスも良い交通機関の後方設置型風力発電機を提供すること。【解決手段】交通機関の車体７の後端に設置され、発電機軸３を備えた発電機本体１と、発電機軸３に固定され、風力を受けて回転し、発電機本体１を駆動して電力を発生させるファン２と、発電機本体１の外部を覆うよう設置され、気流をファン２に向かってガイドするために用いられる導流カバー４と、一端が発電機本体１に接続され、他端に固定端子６を備え、固定端子６を介して機器類に接続される導線５とを含む。【選択図】図３
0003174933.tif 000002
【実用新案登録請求の範囲】
【請求項１】
交通機関の車体の後端に設置される交通機関の後方設置型風力発電機であって、
発電機軸を備えた発電機本体と、
前記発電機軸に固定され、風力を受けて回転し、前記発電機本体を駆動して電力を発生させるファンと、
前記発電機本体の外部を覆うよう設置され、気流を前記ファンに向かってガイドするために用いられる導流カバーと、
一端が前記発電機本体に接続され、他端に固定端子を備え、該固定端子を介して機器類に接続される導線と、
を含むことを特徴とする、交通機関の後方設置型風力発電機。
【請求項２】
前記導流カバーが滑らかな流線形の表面を備えることを特徴とする、請求項１に記載の交通機関の後方設置型風力発電機。
【考案の詳細な説明】
【技術分野】
【０００１】
本考案は交通機関の車体に結合可能な風力発電機に関し、特に、交通機関の車体後端に設置され、且つ車体の前進移動時に電力を発生することができる、交通機関の後方設置型風力発電機に関する。
【背景技術】
【０００２】
現在、風力発電機を交通機関に設置する場合は、風力発電機を車体の前方または上方に設置している。
車体前方に設置されるものは、運転者の運転時の視線を妨げることがないように、体積が制限され、発電量が限られるため、発電効率が悪く、風力発電機を車体前方に設置して風力発電機のファンの体積を大きくすると、運転者の視線上の邪魔となり、運転の安全性に影響する。一方、風力発電機を車体の上方に設置すると、車体が高速走行時にバランスを失って危険を招く恐れがある。
このように、風力発電機を車体前方または上方に設置するのは理想的でなく、発電効率と積載バランスを併せて考慮したものはまだ知られていない。
【考案の概要】
【考案が解決しようとする課題】
【０００３】
本考案が解決しようとする課題は、大型化して発電効率を良くしても運転時に邪魔にならず、走行時のバランスも良い交通機関の後方設置型風力発電機を提供することにある。
【課題を解決するための手段】
【０００４】
本考案は、交通機関の車体の後端に設置される交通機関の後方設置型風力発電機に関し、発電機軸を備えた発電機本体と、前記発電機軸に固定され、風力を受けて回転し、前記発電機本体を駆動して電力を発生させるファンと、前記発電機本体の外部を覆うよう設置され、気流を前記ファンに向かってガイドするために用いられる導流カバーと、一端が前記発電機本体に接続され、他端に固定端子を備え、該固定端子を介して機器類に接続される導線とを含む。
【０００５】
前記導流カバーは滑らかな流線形の表面を備えると良い。
【考案の効果】
【０００６】
本考案の交通機関の後方設置型風力発電機は、車体後端に設置されるため、車体が前進移動するときに、風の気流が導流カバーを経由してファンに導かれ、ファンを回転させ、且つファンに固定された発電機軸が伝動して発電機本体を駆動して電力を発生させ、発生した電力をバッテリー等の機器類に伝送して、多用途に利用することができる。
また、風力発電機が運転者の視線の邪魔にならず、車体が高速で走行しているときも車体のバランスを維持することができる。
【図面の簡単な説明】
【０００７】
【図１】本考案の実施例を示す交通機関の後方設置型風力発電機の斜視図である。
【図２】本考案の後方設置型風力発電機の気流ガイド状態を説明するための図である。
【図３】本考案の実施例を示す交通機関の後方設置型風力発電機の使用状態における概略図である。
【考案を実施するための形態】
【０００８】
以下、本考案の実施例を図面に基づいて詳細に説明する。
図１〜図３に示すように、本考案の交通機関の後方設置型風力発電機は、各種交通機関の車体７の後端に設置され、発電機本体１、ファン２、発電機軸３、導流カバー４、導線５、及び、固定端子６を備える。
【０００９】
発電機本体１には発電機軸３が設けられ、ファン２が発電機軸３に固定されている。ファン２は風力を受けて回転し、且つ発電機軸３を回転させ、この結果、発電機本体１を駆動して電力を発生させることができる。
導流カバー４は、発電機本体１の外部を覆うように設置され、滑らかな流線形の表面を備え、気流をファン２に向かってガイドするために用いられる。
また、発電機本体１には導線５が接続され、導線５の先端に固定端子６が設けられ、バッテリー８等の機器類に接続するために用いられる。
【００１０】
本考案の風力発電機は交通機関の車体７の後端に設置されるため、車体７が前進移動するとき、気流が導流カバー４を経由してファン２へと導かれ、ファン２を回転させ、さらにファン２に固定された発電機軸３が回転して発電機本体１を駆動して電力を発生させ、発生した電力はバッテリー８に保存した後、多用途に運用することができる。
【００１１】
上述したように風力発電機を交通機関の車体７の後端に設置したことで、運転者９の視線の邪魔になることがなく、車体７が高速で走行しているときに車体７のバランスを維持することができる。
以上は、本考案の実行可能な実施例を説明するものであり、本考案の権利範囲を限定するものではなく、本考案の実用新案登録請求の範囲を逸脱しない変更と修飾はすべて、本考案の権利範囲に含まれる。
【符号の説明】
【００１２】
１      発電機本体
２      ファン
３      発電機軸
４      導流カバー
５      導線
６      固定端子
７      車体
８      バッテリー
９      運転者
【図１】
0003174933.tif 000003
【図２】
0003174933.tif 000004
【図３】
0003174933.tif 000005
(57)【要約】      （修正有）【課題】同一のテーブル天板を複数台つなぎ合わせて１台のテーブル天板を構成するテーブル天板ジョイントシステムを提供する。【解決手段】円弧状の欠け部分がある円形の天板を、天板底面にある複数のジョイント位置から好きな位置を選び、ジョイント用の部材の穴にボルトを挿入し、上記のボルトを使って複数枚の天板をつなぎ合わせてテーブル天板を形成する。【選択図】図３
0003174983.tif 000002
【実用新案登録請求の範囲】
【請求項１】
切り欠けの入った円形の天板を複数枚つなぎ合わせることによって１台のテーブル天板とする
【考案の詳細な説明】
【技術分野】
【０００１】
本考案は同一のテーブル天板を複数台つなぎ合わせて１台のテーブル天板を構成するテーブル天板ジョイントシステムに関する。
【背景技術】
【０００２】
従来は１枚の板を以って１台のテーブル天板を構成している。
【考案の概要】
【考案が解決しようとする課題】
【０００３】
本考案は、複数枚の板をつなぎ合わせることにより、様々な大きさや形をした１台のテーブル天板の開発。
【課題を解決するための手段】
【０００４】
上記目的を達成するために、本考案はどう位置の天板複数枚をジョイント用部材を用いてつなぎ合わせ、１台のテーブル天板を構成する。
【考案の効果】
【０００５】
基にもとになる天板形状が切り欠けの入った円形になっており、つなぎ合わせる枚数や場所により様々な大きさや形のした１台のテーブル天板となる。
【図面の簡単な説明】
【０００６】
【図１】本考案を実施するための基になる天板の底面
【図２】基になる天板をつなぎ合わせる為のジョイント用部材
【図３】本考案の実施例を示す底面よりの説明図である
【図４】本考案を実施して構成された天板のひとつの例を示す平面図である
【考案を実施するための形態】
【０００７】
以下本考案の実施の形態を図に基づいて説明する
【実施例】
【０００８】
図１の天板底面にある複数のジョイント位置から好きな位置を選び、図２のジョイント用部材の穴にジョイントねじを通して組み付ける。
【産業上の利用可能性】
【０００９】
本考案はテーブルを製造する産業で利用される
【符号の説明】
【００１０】
１  つなぎ合わせる為の選択可能なジョイント位置
２  ジョイントねじを通すための穴
３  ジョイントねじ
【図１】
0003174983.tif 000003
【図２】
0003174983.tif 000004
【図３】
0003174983.tif 000005
【図４】
0003174983.tif 000006
【手続補正書】
【提出日】平成24年2月15日(2012.2.15)
【手続補正１】
【補正対象書類名】実用新案登録請求の範囲
【補正対象項目名】全文
【補正方法】変更
【補正の内容】
【実用新案登録請求の範囲】
【請求項１】
円弧状の欠け部分がある円形の天板を、ジョイント用の部材とボルトを
使って複数枚つなぎ合わせたテーブル天板。
(57)【要約】      （修正有）【課題】これまで靴箱の掃除は、小ほうきや掃除機であった。なぜなら一般的な床を掃く柄の長いほうきでは、靴箱のような狭い空間を掃除することは困難だからである。しかし、小ほうきでは何度も掃くため時間がかかったり、掃除機では電源確保やコードの長さに問題があった。そこで、上下左右奥の５面で囲まれた箱型の小空間を掃除できるようにした靴箱用ほうきを提供する。【解決手段】ほうきのブラシ部と柄の接点から柄側６０ｍｍ間における角度１を７０〜８０度、靴箱の奥行から設定した柄の長さを２５０〜３５０ｍｍ、靴箱の入口幅から設定したブラシ幅を２００〜２５０ｍｍとしている。【選択図】図２
0003174989.tif 000002
【実用新案登録請求の範囲】
【請求項１】
ほうきのブラシ部と柄の接点から柄側６０ｍｍ間に７０〜８０度の角度をつけ、柄の長さを２５０〜３５０ｍｍ、ブラシ幅を２００〜２５０ｍｍにすることにより、靴箱やロッカーのような上下左右奥の５面で囲まれた箱型の小空間をきれいに掃除できるほうき。
【考案の詳細な説明】
【技術分野】
【０００１】  本考案は、ほうきのブラシ部と柄の接点から柄側６０ｍｍ間に７０〜８０度の角度をつけ、柄の長さを２５０〜３５０ｍｍ、ブラシの幅を２００〜２５０ｍｍにすることにより、上下左右奥の５面で囲まれた箱型の小空間をきれいに掃除するほうきである。そのため、靴箱はもちろん、同じ箱型であるロッカーにも応用できる。
【背景技術】
【０００２】  柄に角度をつけたほうきとしては、実登３０５３５３３号公報の３倍早く掃除できるほうき、また、網戸の掃除においては特開２００３−１００７４号公報の清掃用柄付きブラシや特開２００３−４７７号公報の網戸用清掃具がそれぞれ公知となっている。【０００３】  このように柄に角度をつけて床や網戸などを掃除する清掃具はあるが、本考案のような靴箱を掃除するほうきはない。本ほうきも柄に角度をつけることは同様であるが、同時に柄やブラシの長さを設定することにより、上下左右奥の５面で囲まれた箱型の狭い範囲を掃除できるようになる。
【先行技術文献】
【特許文献】
【０００４】
【特許文献１】  実登３０５３５３３号公報
【特許文献２】  特開２００３−１００７４号公報
【特許文献３】  特開２００３−４７７号公報
【考案の概要】
【考案が解決しようとする課題】
【０００５】  これまで靴箱の掃除は、小ほうきや掃除機であった。なぜなら一般的な床を掃く柄の長いほうきでは、靴箱のような狭い空間を掃除することは困難だからである。しかし、小ほうきでは何度も掃くために時間がかかったり、掃除機では電源確保やコードの長さに問題がある。そこで本考案は、上下左右奥の５面で囲まれた箱型の小空間を掃除できるようにすることを課題とする。
【課題を解決するための手段】
【０００６】  上記課題を解決するために、請求項１記載のほうきは、ほうきの柄に角度、柄の長さ、ブラシ部の幅を設定することにより、その課題を解決している。
【考案の効果】
【０００７】  本考案は、ブラシ部が靴箱の奥まで届き、掃き幅が靴箱の幅とほぼ同じため、２回程度の掃き回数で靴箱がきれいになるという効果がある。
【図面の簡単な説明】
【０００８】
【図１】本考案に係る靴箱用ほうきの正面図である。
【図２】本考案に係る靴箱用ほうきの側面図である。
【図３】本考案に係る靴箱用ほうきの平面図である。
【図４】本考案に係る靴箱用ほうきの一例を示すブラシ側から見た概略斜視図である。
【考案を実施するための形態】
【０００９】  本考案の実施形態について図２及び図３に基づいて説明する。本考案に係るほうきの一例を示す図２において１はほうきのブラシ部と柄の接点から柄側６０ｍｍ間における角度７０〜８０度、図３において２は靴箱の奥行から設定した柄の長さ２５０〜３５０ｍｍ、３は靴箱の入口幅から設定したブラシ幅２００〜２５０ｍｍである。
【実施例】
【００１０】  添付図面に従って実施例を説明する。図４による靴箱用ほうきにより、体育館、幼稚園、学校、集会所など、小人数の靴箱から集団で使う靴箱、低い位置から高い位置まで上下左右奥の５面で囲まれた箱型の小空間をきれいに掃除できる。靴箱口にチリトリと組み合わせて使うことにより、掃除の能率がさらに向上する。また、同じ箱型であるロッカーにも同様の実施ができる。【００１１】  また、本考案のほうきは、サイズが小さく収納面においても優れているとともに、ブラシ部と柄部をプラスチックで製品化することにより、色や形状のデザイン性にも優れる清掃具である。
【符号の説明】
【００１２】  １  ブラシと柄の角度
２  柄の長さ
３  ブラシの長さ
４  ブラシ
５  柄
【図１】
0003174989.tif 000003
【図２】
0003174989.tif 000004
【図３】
0003174989.tif 000005
【図４】
0003174989.tif 000006
(57)【要約】      （修正有）【課題】ＬＥＤライトの構成により、電気消費量が変わらず照射される光量を増加させるＬＥＤライトを提供する。【解決手段】ＬＥＤ１の光の照射方向に透明基板３を配し、照射された光を透明基板により透過光と反射光に分離し、反射光４を反射鏡２へ反射させ反射鏡から光５が反射することで、透過光と反射光に光軸が分離され、反射光の光軸を照射範囲の暗い範囲へ向けることで、ＬＥＤライトの明るい範囲を広くする。【選択図】図２
0003174990.tif 000002
【実用新案登録請求の範囲】
【請求項１】
ＬＥＤより照射された光軸に透明基板を配し、ＬＥＤより照射された光軸を、透明基板により透過光と反射光へ光軸が分光され反射光を反射鏡へ反射させることにより、透過光と反射光の光軸となり、透過光と反射光の光軸で光を照射されるＬＥＤライトであって、透明基板と反射鏡とで透明基板により分光された反射光を反射し、透過光と反射光とで光を照射する構成を特徴とするＬＥＤライト。
【考案の詳細な説明】
【０００１】本考案は、透過光と反射光に分離する透明基板を利用したＬＥＤライトに関する。
【背景技術】
【０００２】従来のＬＥＤライトはＬＥＤから発光された光の拡散された光を反射鏡で反射し、前方向へ照射された光がレンズを透過する構成で、照射範囲中心部が明るく周囲が暗かった。
【考案が解決しようとする課題】
【０００３】ＬＥＤライトから照射される明るさの範囲を広くする。
【課題を解決しようとする手段】
【０００４】本考案は、以上の課題を解決するため、ＬＥＤの光の照射方向に透明基板を配し、照射された光を透明基板により透過光と反射光に分離し、反射光を反射鏡へ反射させ反射鏡から光が反射することで、透過光と反射光に光軸が分離され、反射光の光軸を照射範囲の暗い範囲へ向けることで、ＬＥＤライトの明るさの範囲を広くできる。
【考案実施の形態】
【０００５】本考案のＬＥＤライトの透明基板および反射鏡の光の反射面の形状をＬＥＤライトの用途に応じ平面および曲面に変更し、また、透明基板の光の反射面に光の透過率および反射率の高い被膜を形成することで、ＬＥＤライトから照射される反射光を増すことができる。
【０００６】本考案は、ＬＥＤライトのＬＥＤの配列を平列および円形に配したＬＥＤライトに対応し、多種に使用できる。
【０００７】本考案の透明基板は、ＬＥＤライトのカバーおよびレンズに同一化して使用可能である。
【考案の効果】
【０００８】本考案の使用により、使用電力量が変わらずにＬＥＤライトから照射される光量を増すことができる。
【図面の簡単な説明】
【０００９】
【図１】本考案の平列に配したＬＥＤの透過光と反射光を示す断面図である。
【図２】本考案の円形に配したＬＥＤの透過光と反射光を示す断面図である。
【符号の説明】
【００１０】１  ＬＥＤ
２  反射鏡
３  透明基板
４  反射光
５  透過光
６  レンズおよびカバー
【図１】
0003174990.tif 000003
【図２】
0003174990.tif 000004
(57)【要約】      （修正有）【課題】現代の墓事情に於いて、墓を建立しない場合や、建立までの期間のお骨を、親族が満足出来る方法で自宅に保管収納、おまつりできる簡易型お墓を提供する。【解決手段】本屋内用簡易型お墓を構成する部品の主だった部分をアクリル樹脂あるいはそれに準ずる樹脂系素材で構成し、遺骨収納部３の部屋状の空間の上に墓石をイメージする形状の墓碑１を配置することにより構成され、これにより屋内の調度や雰囲気を損なわず調和しながらも、おまつりする宗教的な意義も感じられる収納保管となる。【選択図】図２
0003174987.tif 000002
【実用新案登録請求の範囲】
【請求項１】
遺骨収納部分と墓碑を構成する部品の主だった部分をアクリル樹脂あるいはそれに準ずる樹脂系素材で構成し、遺骨収納部分の上部に墓の形状を有する墓碑を載せることによって構成された屋内用簡易型お墓
【考案の詳細な説明】
【技術分野】
【０００１】
本発明は、屋内において遺骨を保管収納且つおまつりする簡易型お墓に関するものである。
【背景技術】
【０００２】
墓をもたない家庭で誰かが亡くなった場合、火葬後の故人の遺骨は墓が完成するまではどこかで保管収納しなければならない。菩提寺に預かって頂ければ良いが、それが不可能な場合は家庭内に保管収納するしかない。しかしながら昔の日本では土葬が一般的で家庭に遺骨を保管収納する習慣がなかったため、遺骨を保管収納する習慣も場所も確保されてなく、扱いに戸惑うのが現状である。
【０００３】
また、墓を新たに用意しようとしても、現代の日本では慢性的な墓地不足となっており、あっても交通の便が悪い等お参りしにくいものであったり、良い場所では高価で入手困難であったりで、墓地の確保が難しい状況である。
【０００４】
仮に良い条件の墓地を購入できる環境があっても、跡取り問題等でその墓地に墓石を建立しても後に面倒が見られる後継者が無く、また費用を要して撤去しなければならないといった状況もある。
そのような場合は最初から墓の建立を避けて、身内が生存している期間を家庭内にて保管収納、おまつりしたほうが良いという状況も多くなりつつある。
【０００５】
また現代の社会環境では、転勤転居など住居や地域を遠く離れる場合も往々にして起こる事であり、その場合はお墓参りが非常に困難となる為、固定地にお墓を建立するよりいつでも移動が容易で持ち運べるようなお墓が有れば便利である。
【０００６】
以上の現代の墓事情から見て、墓を建立しない場合や、建立までの期間の遺骨を、家庭内にて保管収納と共におまつりし、移動が容易で持ち運べる方法が必要である。
【先行技術文献】
【特許文献】
【０００７】
【特許文献１】特許公開２００２−３３６１１９
【考案の概要】
【考案が解決しようとする課題】
【０００８】
このような現代の墓事情に於いて、墓を建立しない場合や、建立までの期間の遺骨を、親族が満足出来る方法で自宅に保管収納、おまつりできる環境を提供するものである。
【課題を解決するための手段】
【０００９】
本考案の屋内用簡易型お墓を構成する部品の主だった部分をアクリル樹脂あるいはそれに準ずる樹脂系素材で構成し、遺骨収納部分の部屋状の空間の上に墓石をイメージする形状の墓碑を配置することにより構成される。
【考案の効果】
【００１０】
アクリル素材の透明感が放つシンプル且つ高級感が屋内の調度や雰囲気を損なわず調和し、遺骨が収納される部分の上部に墓碑が設置されることにより、おまつりする宗教的な意義も感じられる収納方法として、親族の想いが満たされる。
【００１１】
軽くて扱いやすい為、移動や持ち運びが容易である。
【００１２】
素材の加工が容易な為、図5に示す様な複雑な形状の豪華な洋風の墓碑も少量から廉価で製作可能である。
【図面の簡単な説明】
【００１３】
【図１】本考案にかかる屋内用簡易型お墓の全体を示す斜視図である。
【図２】図1に示した屋内用簡易型お墓の遺骨収納部上蓋兼墓碑設置台を外し内部に骨壷を収納した状態の斜視図である。
【図３】本考案にかかる屋内用簡易型お墓の正面断面図である。
【図４】本考案にかかる屋内用簡易型お墓の側面断面図である。
【図５】本考案にかかる屋内用簡易型お墓の一実施形状を示す斜視図である。
【図６】本考案にかかる屋内用簡易型お墓の一実施例を示す正面図である。
【図７】本考案にかかる屋内用簡易型お墓の一実施例を示す正面図である。
【考案を実施するための形態】
【００１４】
図2の遺骨収納部3の内部に遺骨が収納された骨壺を納め、図1の様に上蓋兼墓碑設置台2を設置する。
【実施例】
【００１５】
遺骨が収納された本考案である屋内用簡易型お墓の和型タイプを図6に示すように屋内の和室の床の間に違和感無く設置した実施例である。
【００１６】
遺骨が収納された本考案である屋内用簡易型お墓の洋型タイプを図7に示すように屋内のタンスの上に違和感無く設置した実施例である。
【符号の説明】
【００１７】
1  墓碑
2  遺骨収納部上蓋兼墓碑設置台
3  遺骨収納部
4  骨壺
5  洋風墓碑
6  床の間
7  本考案本体
8  本考案本体
【図１】
0003174987.tif 000003
【図２】
0003174987.tif 000004
【図３】
0003174987.tif 000005
【図４】
0003174987.tif 000006
【図５】
0003174987.tif 000007
【図６】
0003174987.tif 000008
【図７】
0003174987.tif 000009
(57)【要約】      （修正有）【課題】ワッフル紋織り組織にガーゼ地組織を組み合わせ肌触りが良く、やわらかさ感を向上させたワッフルガーゼ紋織物およびこれを使った製品を提供する。【解決手段】ワッフル組織とガーゼ組織からなる接結二重織り組織を有するワッフルガーゼ紋織物であり、表面ワッフル組織１と裏面ガーゼ組織２を接結糸で連結してワッフルガーゼ紋織物およびバスローブやタオル等のワッフルガーゼ紋織物製品を形成する。【選択図】図１
0003174982.tif 000002
【実用新案登録請求の範囲】
【請求項１】
ワッフル組織とガーゼ組織からなるワッフル紋織物であり、表面ワッフル組織と、裏面ガーゼ組織は接結糸で連結されているワッフルガーゼ紋織物。
【請求項２】
請求項１に記載のワッフルガーゼ紋織物からなる製品。
【考案の詳細な説明】
【技術分野】
【０００１】
本考案は生活資材用、殊に、バスローブ・ガウン、タオル、ハンカチ、バス用製品、寝装用、浴用等に好適なワッフルガーゼ紋織物およびその製品に関する。
【背景技術】
【０００２】
浮き糸を四角形に使って枡（ます）型の凹凸を織り出すことによって、ちょうど蜂の巣、お菓子のワッフルに似ているので、ハニカムクロス、ワッフルクロス、ます織とも呼ばれる生地が知られている。地厚い感じを与え、肌ざわりが良く、夏はさらっとした感じ、冬は保温性があって暖かい。変化組織で布面に蜂の巣状の凹凸を織り出したタオルなどが知られている。
【０００３】
一方、タオル（パイル）地とガーゼ地とを不規則に交錯させて中間にパイルを織り込んだ織物が開示されているが、通常のタオル織物であり、織物の重厚性、およびボリューム感がない（特許文献１）。
【先行技術文献】
【特許文献】
【０００４】
【特許文献１】実用新案登録第３０９８８５４号公報
【考案の概要】
【考案が解決しようとする課題】
【０００５】
従来のワッフルクロスは、変化組織で布面に地厚い感じを与えデザイン面では優れるものの、もうひとつ、取り扱い性や柔らかさ面が不足していた。本考案は、消費者のニーズに答えるべく、特にバスローブ・ガウン、タオル等として用いる場合の肌触りと柔らかさ感の両方を満足する織物の開発を課題とする。
【課題を解決するための手段】
【０００６】
本考案は、ワッフル組織とガーゼ組織からなるワッフル紋織物であり、表面ワッフル組織と、裏面ガーゼ組織は接結糸で連結されているワッフルガーゼ紋織物を特徴とする。
【考案の効果】
【０００７】
本考案のワッフルガーゼ紋織物は、ワッフル面とガーゼ面からなり、従来のワッフル織物に比べて厚手でボリューム感が得られると同時に良好な肌触りと柔らかさが得られ、表面のワッフル組織のデザイン、意匠性は抜群であり、加えて、裏面のガーゼ組織による、夏はサラッとした肌触りと、適度なクール感が付与できる。冬は保温性があって暖かい。また、通気性が良く、保温性も兼ね備えており、濡れた場合、乾燥が速いのも特徴の一つである。更に一方面側はワッフル組織でボリューム感が付与され、他方面側はガーゼ組織により、肌触りが良く、柔らかさが付与されるのが特徴である。
【０００８】
ガーゼ面の緯糸に接触冷感繊維を用いることにより、接触冷感が付与されて夏には最適である。また、ガーゼ面の緯糸に発熱繊維を用いることにより、暖かさが付与されて冬には最適である。さらに、ワッフル面の効果として、ワッフル部を肌に当てることにより、ワッフル組織での空気の保温性と通気性の効果が得られ、快適な保温の効果が得られる。
【図面の簡単な説明】
【０００９】
【図１】本考案実施例１の概略見取り図であり、表面ワッフル、裏面ガーゼからなるワッフルガーゼ紋織物を示す。
【図２】本考案実施例１の表面ワッフル、裏面ガーゼからなるワッフルガーゼ紋織物の経通し全体組織図である。
【図３】本考案実施例１の表面ワッフル、裏面ガーゼからなるワッフルガーゼ紋織物の織前から見た断面図である。
【考案を実施するための形態】
【００１０】
本考案は、ワッフル組織とガーゼ組織からなるワッフルガーゼ紋織物であり、表面ワッフル組織と、裏面ガーゼ組織は接結糸で連結されているワッフルガーゼ紋織物及びその製品である。本考案にいう製品とは、生活資材用、衣料用、寝装用、浴用等に好適なタオル製品を言う。殊に、バスローブ・ガウンなどには最適である。本考案のワッフルガーゼ紋織物は、織物の表面はワッフル組織からなり、デザイン性に富み、厚手でボリューム感が形成されている。裏面はガーゼ組織で構成され、良好な肌触り感と柔らかさが付与されている。
【００１１】
本考案の織物のガーゼ組織を構成する、緯糸に機能繊維を用いることによって、異なる付加的な機能が高められる。例えば、接触冷感繊維を用いることにより、製品の接触冷感性を向上させることができる。また、発熱繊維を用いることにより、製品の暖かさを向上させることができる。もちろん、通常の繊維を用いても、肌触りがよく、軽くてボリューム感があり、吸水性、発汗性が優れるとともに、家庭用洗濯機で充分に洗濯することも可能である。
【実施例】
【００１２】
（実施例１）
タオル織機を用い、二重ビーム（パイルビーム、グランドビーム）、カザリ（綜絖）枠１２枚（ワッフルパイル糸６枚、ガーゼ糸６枚）を用いて図２に示す組織図に基づいて織成した。
【００１３】
図１は、本考案のワッフルガーゼ紋織物の概略を示す。１は、表面ワッフル、２は、裏面ガーゼを示す。
【００１４】
図２は、実施例１のワッフルガーゼ紋織物の組織図を示す。たての１〜２４の数字は、緯糸ピック数を示す。よこの１〜１２の数字はカザリ（綜絖）枠数を示す。Ｐはパイル糸、Ｇはガーゼ糸を示す。Ａは上げる、Ｓは沈む、Ｔは止める（引っ掛け）を示す。
【００１５】
図３は、実施例１の表面ワッフル、裏面ガーゼからなるワッフルガーゼ紋織物の織前から見た断面図を示す。
【産業上の利用可能性】
【００１６】
従来に無いボリューム感と重厚性を有し、かつ、良好な肌触りと柔らかさが付与されたワッフルガーゼ紋織物及びその製品を提供することができる。
【符号の説明】
【００１７】
１  表面ワッフル
２  裏面ガーゼ
【図３】
0003174982.tif 000003
【図１】
0003174982.tif 000004
【図２】
0003174982.tif 000005
【手続補正書】
【提出日】平成24年2月10日(2012.2.10)
【手続補正１】
【補正対象書類名】実用新案登録請求の範囲
【補正対象項目名】全文
【補正方法】変更
【補正の内容】
【実用新案登録請求の範囲】
【請求項１】
ワッフル組織とガーゼ組織からなる接結二重織り組織を有するワッフル紋織物であり、表面ワッフル組織と、裏面ガーゼ組織が接結糸で連結されているワッフルガーゼ紋織物。
【請求項２】
請求項１に記載のワッフルガーゼ紋織物を用いたタオル製品。
(57)【要約】      （修正有）【課題】乳幼児が睡眠中に不必要な騒音にて驚くと共に、目覚めることなく、主婦が家事に専念できる乳幼児用耳栓を提供する。【解決手段】柔軟性の柔らかい弾性を有するシリコン系樹脂にて形成された乳幼児の左右両耳の外耳道に挿入される細状先端突部２と、更に大人の指先が挿入される左右一対の袋部４と、この左右一対の袋部を互いに連結する伸長用ゴム紐５とで成したことを特徴とする。【選択図】図２
0003174926.tif 000002
【実用新案登録請求の範囲】
【請求項１】
柔軟性の柔らかい弾性を有するシリコン系樹脂にて形成された乳幼児の左右両耳の外耳道に挿入される細状先端突部と、更に大人の指先が挿入される左右一対の袋部と、この左右一対の袋部を互いに連結する伸長用ゴム紐とで成したことを特徴とする乳幼児用耳栓。
【請求項２】
前記左右一対の袋部は、細状先端突部との間に外耳道口に接する過挿入防止用張出し部を形成したことを特徴とした請求項１記載の乳幼児用耳栓。
【請求項３】
前記左右一対の袋部は、細状先端突部と過挿入防止用張出し部の下部に指先を挿脱する挿入口とで半球型に形成した事を特徴とした請求項１記載の乳幼児用耳栓。
【考案の詳細な説明】
【技術分野】
【０００１】
本考案は、特に乳幼児が睡眠中に不必要な騒音にて驚くと共に、目覚めない様に装着する耳栓に関する。
【背景技術】
【０００２】
乳幼児においては、テレビ音、ラジオ音等の生活音において選別することができず、特に睡眠中においては、異常音として眼をさますと共に、泣き騒ぎ、主婦の家事に支障を来すことともなる。
【考案の概要】
【考案が解決しようとする課題】
【０００３】
乳幼児が睡眠中に不必要な騒音にて驚くと共に、目覚めることなく、主婦が家事に専念できる等の課題を解決する。
【課題を解決するための手段】
【０００４】
本考案は、柔軟性の柔らかい弾性を有するシリコン系樹脂にて形成された乳幼児の左右両耳の外耳道に挿入される細状先端突部と、更に大人の指先が挿入される左右一対の袋部と、この左右一対の袋部を互いに連結する伸長用ゴム紐とで成したことを特徴とするものである。
【０００５】
更に本考案は、前記左右一対の袋部は、細状先端突部との間に外耳道口に接する過挿入防止用張出し部を形成した事を特徴とするものである。
【０００６】
又、本考案は、前記左右一対の袋部は、細状先端突部と過挿入防止用張出し部の下部に指先を挿脱する挿入口とで半球型に形成した事を特徴とするものである。
【考案の効果】
【０００７】
（１）請求項１により、乳幼児が睡眠中に不必要な騒音にて驚くことによって目覚めることがなく、主婦が家事に専念できる。
更に本考案は、左右一対の袋部を伸長用ゴム紐により連結しているから、左右の乳幼児用耳栓が紛失することを軽減できる。
【０００８】
（２）請求項２により、耳栓が外耳道の奥深くまで入り込むのを防止する。
【０００９】
（３）請求項３により、挿入口の袋部は半球型に形成されているから、指先の差し込みが容易に行え、且つ挿脱を容易に行えると共に、乳幼児の耳を傷つけることもない。
【図面の簡単な説明】
【００１０】
【図１】乳幼児の睡眠中の状態を示す斜視図
【図２】乳幼児耳栓の拡大断面図
【図３】乳幼児耳栓の使用状態を示す拡大断面図
【図４】左右の乳幼児耳栓を連結した図
【考案を実施するための形態】
【００１１】
以下本考案を実施形態の図面に基づいて説明する。
図１は乳幼児の睡眠中の状態を示す斜視図であって、柔軟性の柔らかい弾性を有するシリコン系樹脂にて形成された乳幼児用耳栓本体１が乳幼児Cの左右両耳Ｃｂの外耳道Ｃｃに挿入されている。
【００１２】
而して、この乳幼児用耳栓本体１は具体的に説明すると、図２に示す如く、細状先端突部２とこれに連なると共に、大人の指先Ｈが挿入される左右一対の袋部４とを形成している。
更に、この袋部４は一対とすることによって紛失するのを防ぐことから、互いに伸長用ゴム紐５にて連結している。
また本考案は、前記左右一対の袋部４は、細状先端突部２との間に外耳道口Ｃｄに接する過挿入防止用張出し部３を形成している。
【００１３】
図４は乳幼児用耳栓本体１を左右一対とした状態を示す図であって、細状先端突部２を乳幼児Ｃの外耳道Ｃｃに挿入し過挿入防止用張出し部３を設ける事により所定以上に挿入される事がなく、袋部４は半球型の中空形状を成し大人の指先Ｈと大人の親指Ｈａで摘む事で乳幼児用耳栓本体1の出し入れが容易に出来、更に乳幼児Ｃの外耳道Ｃｃを傷つけることを防止している。
【００１４】
而して、乳幼児用耳栓本体１は一体型で形成されており、耐熱性、耐薬品性に優れ、且つ適度な柔軟性を有する素材、例えばシリコン樹脂を使用することによって遮音性が優れると共に乳幼児の耳Ｃａに装着する際、適度な弾力を有するため違和感を軽減出来る。
【００１５】
更に、乳幼児用耳栓本体１は伸長用ゴム紐５によって左右一対とすることによって、個々のものに比し、紛失することも軽減できる。
また、伸長用ゴム紐５の両端結合末端には留め具６を付けることによって、任意の型や絵柄を使用し、乳幼児Ｃの着用中の衣服やよだれ掛けに留め、誤飲防止を図っている。
【符号の説明】
【００１６】
１    乳幼児用耳栓本体
２    細状先端突部
３    過挿入防止用張出し部
４    袋部
５    伸長用ゴム紐
６    留め具
Ｃ    乳幼児
Ｃａ  乳幼児の耳
Ｃｂ  左右両耳
Ｃｃ  外耳道
Ｃｄ  外耳道口
Ｈ    大人の指先
Ｈａ  大人の親指
【図１】
0003174926.tif 000003
【図２】
0003174926.tif 000004
【図３】
0003174926.tif 000005
【図４】
0003174926.tif 000006